(57)【要約】【課題】  印刷装置が出力した印刷物に書き込んだ書込内容を、ホストコンピュータに格納された元のファイルに反映することができる印刷システム、印刷装置及び手書き情報反映方法を提供する。【解決手段】  印刷システム１は、ペンで用紙に手書きした情報を取得して外部に無線送信可能なデジタルペン２と、デジタルペン２から手書き情報Ｘを受信して各種加工処理を施すコンピュータ３と、コンピュータ３から印刷データＤprntを入力してそれを印刷出力する印刷装置４とを備えている。印刷装置４で印刷データＤprntを用紙に印刷出力する際、この用紙には文字や画像に加えてデジタルペン２用の網点パターンが印刷される。この印刷済み用紙５に書き込まれた手書き情報Ｘは、コンピュータ３に転送されて元のファイルに反映される。【選択図】      図１
2006268758.tif 000002
【特許請求の範囲】
【請求項１】
所定のパターンを有する専用紙に書き込んだ書込内容を、前記パターンを基にその書込位置を関連付けた手書き情報として取得し、前記手書き情報を外部に送信可能なデジタルペンと、
前記デジタルペンが送信した前記手書き情報を受信し、当該手書き情報内の筆記情報を基に前記書込内容とその書込位置とを認識し、所定ファイルに前記書込内容を反映させるコンピュータとを備えた印刷システムであって、
当該所定ファイルに基づく印刷データと、前記パターンとを前記用紙に印刷することで該用紙を前記専用紙として印刷出力する印刷出力手段を備えたことを特徴とする印刷システム。
【請求項２】
前記デジタルペンは、前記手書き情報を無線で外部に送信可能であり、前記コンピュータは、前記デジタルペンが送信した前記手書き情報を無線で受信することを特徴とする請求項１に記載の印刷システム。
【請求項３】
前記印刷出力手段は、頁ごとに前記パターンを異ならせて前記用紙に印刷処理を施し、前記デジタルペンは、前記パターンに応じた情報を前記手書き情報に含ませて送信する構成であって、
前記コンピュータは、前記書込内容を前記ファイルに反映させる際に、前記情報に基づき頁番号も対応付ける頁対応手段を備えたことを特徴とする請求項１又は２に記載の印刷システム。
【請求項４】
前記印刷出力手段は、書込み者の識別を行うための個人識別用パターンを前記用紙に印刷出力し、前記コンピュータは、前記書込内容を前記ファイルに反映させる際に、前記個人識別用パターンに書き込まれた内容に基づき書込み者も対応付ける書込み者対応手段を備えたことを特徴とする請求項１〜３のうちいずれか一項に記載の印刷システム。
【請求項５】
前記コンピュータは、ファイルの違うデータを重ね合わせ可能とするデータ形式に前記手書き情報及び前記ファイルを変換する変換手段と、前記変換後のデータ同士を重ね合わせることで、前記書込内容を前記ファイルに反映させる反映手段とを備えたことを特徴とする請求項１〜４のうちいずれか一項に記載の印刷システム。
【請求項６】
コンピュータから送信される印刷データを基に、印刷文字又は印刷画像を用紙に印刷出力する印刷装置において、
手書きの書込内容及びその書込位置を手書き情報として取得して外部に送信可能なデジタルペンを用いて前記用紙に書込みを行った際に、前記書込内容の書込位置が判別可能となるように、前記印刷データを用紙に印刷出力する際、前記デジタルペンで認識可能な所定のパターンを前記用紙に印刷することで該用紙を前記デジタルペン用の専用紙として印刷出力することを特徴とする印刷装置。
【請求項７】
所定のパターンを有する専用紙にデジタルペンで書込みを行った際、前記デジタルペンは前記パターンを基に書込位置を関連付けた書込内容を手書き情報として取得し、前記デジタルペンが前記手書き情報を外部に送信してコンピュータが当該手書き情報を受信した際、当該手書き情報内の筆記情報を基に前記書込内容とその書込位置とを認識し、所定ファイルに前記書込内容を反映させる手書き情報反映方法において、
当該印刷装置は前記所定ファイルに基づく印刷データと、前記パターンとを前記用紙に印刷することで該用紙を前記専用紙として印刷出力することを特徴とする手書き情報反映方法。
【発明の詳細な説明】
【技術分野】
【０００１】
本発明は、デジタルペンで書き込んだ手書き情報を元のファイルに反映する印刷システム、印刷装置及び手書き情報反映方法に関する。
【背景技術】
【０００２】
近年、ペンで用紙に手書きしたアナログ情報をデジタル情報に変換するデバイスとして、例えば特許文献１に示すようなデジタルペンが開発されている。デジタルペンで書き込む用紙は、絶対座標アドレスを用いた特殊な配列ドットが印刷された専用紙を使用する。デジタルペンはペン先に小型カメラを内蔵し、このカメラによってドットパターンを撮影して、手書きの文字や図の座標を計算してメモ情報（筆記情報）を蓄積する。デジタルペンはそのメモ情報を、無線通信でパーソナルコンピュータや携帯電話等の他機器に送信し、用紙に書いた内容を他機器の表示画面に表示させる。
【特許文献１】特開２００４−０９４５５８号公報
【発明の開示】
【発明が解決しようとする課題】
【０００３】
しかし、例えば印刷装置で出力した印刷物にメモを記入する場合、印刷物にデジタルペン用の特殊な配列ドットが印刷されていなければデジタルペンは利用できないため、メモ書きは通常のペンを用いて記入する手法をとらざるを得ず、メモ記入した印刷物でしかメモを確認することができない問題があった。従って、デジタルペンを用いて用紙にメモを記入し、そのメモ情報を元のデータに反映するという手法が、印刷物に対しては行うことができず、何らかの対策が望まれていた。
【０００４】
本発明の目的は、印刷装置が出力した印刷物に書き込んだ書込内容を、ホストコンピュータに格納された元のファイルに反映することができる印刷システム、印刷装置及び手書き情報反映方法を提供することにある。
【課題を解決するための手段】
【０００５】
上記問題点を解決するために、本発明では、所定のパターンを有する専用紙に書き込んだ書込内容を、前記パターンを基にその書込位置を関連付けた手書き情報として取得し、前記手書き情報を外部に送信可能なデジタルペンと、前記デジタルペンが送信した前記手書き情報を受信し、当該手書き情報内の筆記情報を基に前記書込内容とその書込位置とを認識し、所定ファイルに前記書込内容を反映させるコンピュータとを備えた印刷システムであって、当該所定ファイルに基づく印刷データと、前記パターンとを前記用紙に印刷することで該用紙を前記専用紙として印刷出力する印刷出力手段を備えたことを要旨とする。
【０００６】
この構成によれば、例えばコンピュータが送信した印刷データを印刷出力手段が印刷出力する際、印刷出力手段は印刷データに基づく文字や画像を用紙に印刷することに加え、デジタルペンが書込位置を認識する際に必要なパターンも用紙に印刷する。このため、印刷出力手段が印刷出力した用紙が、デジタルペン用の専用紙として使用可能になる。デジタルペンでこの用紙に書き込みが行われた際、デジタルペンは用紙上のパターンから書込内容を把握し、これを手書き情報としてコンピュータに送信する。コンピュータはこの手書き情報を印刷データの元ファイルに反映させ、ファイルにメモ書きした状況を作り出す。従って、印刷装置が出力した印刷物に書き込んだ書込内容を、ホストコンピュータに格納された元のファイルデータに反映することが可能となる。
【０００７】
本発明では、前記デジタルペンは、前記手書き情報を無線で外部に送信可能であり、前記コンピュータは、前記デジタルペンが送信した前記手書き情報を無線で受信することを要旨とする。
【０００８】
この構成によれば、デジタルペンとコンピュータとの通信形式が無線であるので、例えばこれらの有線である場合に比べ、デジタルペンとコンピュータとを繋ぐケーブル等が不要となり、印刷システムの使い勝手がよくなる。
【０００９】
本発明では、前記印刷出力手段は、頁ごとに前記パターンを異ならせて前記用紙に印刷処理を施し、前記デジタルペンは、前記パターンに応じた情報を前記手書き情報に含ませて送信する構成であって、前記コンピュータは、前記書込内容を前記ファイルに反映させる際に、前記情報に基づき頁番号も対応付ける頁対応手段を備えたことを要旨とする。
【００１０】
この構成によれば、印刷出力手段が印刷出力する専用紙が複数枚に亘ったとしても、各頁にデジタルペンで書込みを行った場合に、各頁について書込内容の書込位置を判別することが可能となる。
【００１１】
本発明では、前記印刷出力手段は、書込み者の識別を行うための個人識別用パターンを前記用紙に印刷出力し、前記コンピュータは、前記書込内容を前記ファイルに反映させる際に、前記個人識別用パターンに書き込まれた内容に基づき書込み者も対応付ける書込み者対応手段を備えたことを要旨とする。
【００１２】
この構成によれば、例えば印刷出力手段が同じ印刷物を複数部印刷出力し、各々異なる書込者が同じデジタルペンを使ってこれら用紙に書き込みを行った場合であっても、コンピュータがデジタルペンから手書き情報を取得した際に、部数番号と書込者とを対応付けることが可能である。従って、どの部数番号の印刷物にどの書込者がデジタルペン２で書き込みを行ったかを判別することが可能となる。
【００１３】
本発明では、前記コンピュータは、ファイルの違うデータを重ね合わせ可能とするデータ形式に前記手書き情報及び前記ファイルを変換する変換手段と、前記変換後のデータ同士を重ね合わせることで、前記書込内容を前記ファイルに反映させる反映手段とを備えたことを要旨とする。
【００１４】
この構成によれば、変換手段は元のファイルのデータと手書き情報のデータとをデータ重ね合わせ可能な形式に変換し、その後に反映手段はこれらデータを重ね合わせて書込内容を元のファイルに反映する。従って、例えば元のファイルと手書き情報とが重ね合わせ不可能なデータ形式であっても、これらデータを重ね合わせる処理によって、書込内容を元のファイルに反映させることが可能となる。
【００１５】
本発明では、コンピュータから送信される印刷データを基に、印刷文字又は印刷画像を用紙に印刷出力する印刷装置において、手書きの書込内容及びその書込位置を手書き情報として取得して外部に送信可能なデジタルペンを用いて前記用紙に書込みを行った際に、前記書込内容の書込位置が判別可能となるように、前記印刷データを用紙に印刷出力する際、前記デジタルペンで認識可能な所定のパターンを前記用紙に印刷することで該用紙を前記デジタルペン用の専用紙として印刷出力することを要旨とする。
【００１６】
本発明では、所定のパターンを有する専用紙にデジタルペンで書込みを行った際、前記デジタルペンは前記パターンを基に書込位置を関連付けた書込内容を手書き情報として取得し、前記デジタルペンが前記手書き情報を外部に送信してコンピュータが当該手書き情報を受信した際、当該手書き情報内の筆記情報を基に前記書込内容とその書込位置とを認識し、所定ファイルに前記書込内容を反映させる手書き情報反映方法において、当該印刷装置は前記所定ファイルに基づく印刷データと、前記パターンとを前記用紙に印刷することで該用紙を前記専用紙として印刷出力することを要旨とする。
【発明を実施するための最良の形態】
【００１７】
（第１実施形態）
以下、本発明を具体化した印刷システム、印刷装置及び手書き情報反映方法の第１実施形態を図１〜図６に従って説明する。
【００１８】
図１は、印刷システム１の概略構成を示す構成図である。印刷システム１は、ペンで用紙に手書きした情報を取得して外部に無線送信可能なデジタルペン２と、デジタルペン２から手書き情報Ｘを受信して各種加工処理を施すコンピュータ３と、コンピュータ３から印刷データＤprntを入力してそれを印刷出力する印刷装置４とを備えている。印刷システム１は、印刷装置４で用紙に印刷処理を施す際に、文字や画像に加えて網点パターンを印刷してその印刷済み用紙５を専用紙とし、その用紙５に書き込まれた文字、絵、図等を手書き情報Ｘとしてデジタルペン２で取得して元のファイルに反映させるシステムである。
【００１９】
図２は、デジタルペン２の構成を示す斜視図である。デジタルペン２は、通常のボールペン等と同様にインクで用紙上に筆記するためのペン機能部６と、ペン先の所定エリアを撮影可能なカメラ７と、ペン先の筆圧を検出する筆圧センサ８と、ペン内の各種回路や素子等に電力を供給するバッテリ９とを備えている。デジタルペン２は、ペン内の各種回路や素子等を制御するプロセッサ１０と、カメラ７で取り込んだ手書き情報Ｘを蓄積するメモリ１１と、外部機器との間で無線通信を行う無線通信機１２とを備えている。
【００２０】
カメラ７は、本例において赤外線カメラが使用され、例えばペン先端内部に収容されている。カメラ７は、ペン先の下側に隣接する所定範囲を撮影可能であり、その画像信号をプロセッサ１０に出力可能である。
【００２１】
プロセッサ１０は、入力側がカメラ７及び筆圧センサ８に接続され、出力側がメモリ１１及び無線通信機１２に接続されている。プロセッサ１０は、筆圧センサ８から出力される筆圧データＤａを常時監視し、筆圧データＤａの値から筆記開始を検出すると、筆圧センサ８によって筆圧が検出されている期間、カメラ７から出力される画像信号を取得する。画像信号取得の際、プロセッサ１０は画像信号の他にデジタルペン２内の時計機能に基づき時刻データＤｂも読み取る。
【００２２】
図１に示すように、印刷済み用紙（専用紙）５は、絶対座標アドレス（絶対位置）を用いた特殊な網点パターン（網点パターン）が赤外線インクによって印刷された用紙である。印刷済み用紙５には、網点（ドット）が約０．３ｍｍごとに配置されている。各網点は、それぞれ格子の交叉点から上下左右の４つの位置のうちいずれかの位置にずれている。網点パターンは６×６ドット分が一単位として設定され、そのパターン数は３６個の網点の組み合わせ数、つまり４の３６乗分存在する。網点パターンが４の３６乗個存在する場合、面積換算で約６０００万キロ平方メートル（Ａ４用紙にして約９７兆枚分）の面積の絶対位置を設定することが可能である。
【００２３】
プロセッサ１０は、カメラ７からの画像信号を基に印刷済み用紙５上の網点パターンを読み取り、その読み取った網点パターンに割り当てられたＸ，Ｙ座標（ペン先の書込位置データＤｃ）を検出する。プロセッサ１０は、こうして検出した書込位置データＤｃと、各書込位置データＤｃに対応する筆圧データＤａ及び時刻データＤｂ等をデジタル信号としてメモリ１１に保存する。なお、印刷済み用紙５上の網点パターンは、赤外線インクで印刷されているため、人間の目には見えない状態である。なお、書込位置データＤｃが筆記情報に相当する。
【００２４】
無線通信機１２は、例えばブルートゥース（Ｒ）規格の省電力・近距離無線通信を行う通信機である。無線通信機１２は、メモリ１１に一時的に蓄えられた各種データ（筆圧データＤａ、時刻データＤｂ、書込位置データＤｃ等）を、プロセッサ１０からの指令を基にコンピュータ３にデジタル信号で送信する。
【００２５】
コンピュータ３は、コンピュータ３を統括制御する演算制御装置１３と、各種データ入力時に操作する入力装置１４と、各種画面を表示する表示装置１５と、デジタルペン２との間で無線通信可能な受信回路１６と、印刷装置４に対するデータ出入口となるインターフェース１７とを備えている。コンピュータ３は、例えばノーマルテキストやリッチテキスト等の形式のファイル１８（図４参照）を複数記憶可能なファイルデータベース１９を備えている。表示装置１５を見ながら入力装置１４で入力操作を行って作成した各種ファイル１８は、保存操作に伴ってファイルデータベース１９に蓄積される。なお、演算制御装置１３が頁対応手段及び書込み者対応手段を構成する。
【００２６】
受信回路１６は、ブルートゥース（Ｒ）規格に準じた回路であり、デジタルペン２の無線通信機１２との間でブルートゥース（Ｒ）による無線通信が可能である。受信回路１６は、デジタルペン２から手書き情報Ｘを受信した際、その手書き情報Ｘを演算制御装置１３に出力する。演算制御装置１３は、受信回路１６を介してデジタルペン２から受信した手書き情報Ｘを、コンピュータ３内の手書き情報データベース２０に逐次格納する。
【００２７】
演算制御装置１３は、印刷済み用紙５に書き込まれた手書き情報Ｘを、印刷済み用紙５に印刷された印刷文字（印刷画像）の元のファイル１８に反映する反映機能を備えている。即ち、演算制御装置１３は、手書き情報Ｘ内の各種データを解析するデータ解析部２１と、入力データのファイル形式をＰＤＦ形式（Portable Document Format形式）に変換するＰＤＦ変換部２２と、ＰＤＦ変換後の複数データを１つに重ね合わせて合成ファイル２３を生成するレイヤー処理部２４とを備えている。演算制御装置１３は、レイヤー処理部２４が生成した合成ファイル２３を、コンピュータ３内の合成ファイルデータベース２５に逐次格納する。なお、データ解析部２１及びＰＤＦ変換部２２が変換手段を構成し、レイヤー処理部２４が反映手段に相当する。
【００２８】
演算制御装置１３は、印刷装置４を制御するためのプログラムとしてプリンタドライバ２６を備えている。表示装置１５にファイル１８を立ち上げそのファイル１８について入力装置１４で印刷実行操作が行われると、プリンタドライバ２６はそのファイル１８のデータを印刷データＤprntとしてインターフェース１７を介して印刷装置４に出力する。なお、印刷装置４及びプリンタドライバ２６が印刷出力手段に相当する。
【００２９】
印刷装置４は、ＣＰＵ（Central Processing Unit ）２７、ＡＳＩＣ（Application Specific Integrated Circuit ）２８、ＲＯＭ（Read Only Memory）２９、ＲＡＭ（Random Access Memory）３０及びインターフェース３１を備えている。これらデバイスは、システムバス３２を通じて相互接続されている。ＣＰＵ２７は、ＲＯＭ２９に記憶された制御プログラムに従い、ＲＡＭ３０を作業領域として印刷処理や印刷ヘッド３３のメンテナンス処理等の各種処理を実施する。
【００３０】
印刷装置４は、インクカートリッジ３４を乗せたキャリッジ３５と、このキャリッジ３５を主走査方向に往復移動させるキャリッジモータ３６と、給紙時や印刷時等に用紙を副走査方向に搬送する紙送り機構３７と、この紙送り機構３７の駆動源となる紙送りモータ３８とを備えている。紙送り機構３７は、例えば給紙ローラ、排紙ローラ、搬送ローラ及び従動ローラの他に、紙送りモータ３８の回転力を各ローラに伝達する伝達機構からなる。ＡＳＩＣ２８はＣＰＵ２７からの指令に基づき、キャリッジモータ駆動回路３９を介してキャリッジモータ３６を、紙送りモータ駆動回路４０を介して紙送りモータ３８を各々駆動制御する。
【００３１】
印刷ヘッド３３はキャリッジ３５の下面に配置され、インクカートリッジ３４の各色ごとにノズル列を有している。例えば、インクカートリッジ３４の色種類がＣＭＹＫの４色であれば、印刷ヘッドにはＣＭＹＫの４つのノズル列が形成されている。各ノズル列は、副走査方向に例えば６４個或いは１２８個のノズルが並んだノズル群からなる。ＡＳＩＣ２８はＣＰＵ２７からの指令に基づき、ヘッド駆動回路４１を介して印刷ヘッド３３からインクを吐出させる。
【００３２】
本例において、キャリッジ３５には、ＣＭＹＫのインクカートリッジの他に、赤外線インク用のインクカートリッジ３４ａが配設されている。このため、印刷ヘッド３３の下面には、赤外線インク吐出用のノズル列（図示略）が、他（ＣＭＹＫ）のノズル列と同数のノズル数を有するように形成されている。従って、本例においてはＣＭＹＫのノズル列に加え赤外線インク用のノズル列を加えた合計５列のノズル列が印刷ヘッド３３に存在する。
【００３３】
コンピュータ３から印刷データＤprntが印刷装置４に出力される際、プリンタドライバ２６はこの印刷データＤprntに網点印刷用データを加えて、印刷データＤprntを印刷装置４に出力する。この網点印刷用データは、用紙にデジタルペン用の網点パターンを印刷するためのデータである。よって、ＡＳＩＣ２８はコンピュータ３から送信された印刷データＤprntを用紙に印刷出力する際、この印刷処理に同期して、用紙に網点パターンが形成されるタイミングでインクカートリッジ３４ａ内の赤外線インクを用紙に吐出して、用紙にデジタルペン２用の網点パターンを印刷する。従って、印刷装置４の出力する印刷済み用紙５が、デジタルペン２用の専用紙として使用可能となる。
【００３４】
また、印刷装置４が印刷データＤprntを複数枚の用紙に亘って印刷出力する場合、プリンタドライバ２６は印刷データＤprntを印刷装置４に出力する際、各頁で網点パターンの配列が異なって印刷されるような網点印刷用データを出力する。よって、印刷装置４が印刷出力する印刷済み用紙５は、全ての頁で同じ配列の網点パターンが印刷された用紙とはならず、各頁ごとに網点パターンの配列が異なった用紙となる。
【００３５】
図３は手書き情報Ｘのデータ構造のイメージ図であり、図４はファイル１８のデータ構造のイメージ図である。図２に示すように、手書き情報Ｘは筆圧データＤａ、時刻データＤｂ及び書込位置データＤｃの他に、印刷済み用紙５の網点パターンに関する情報を示す網点情報Ｄｍを有している。この網点情報Ｄｍは、印刷済み用紙５に印刷された網点パターンの配列に関する情報であり、本例においては印刷済み用紙５が複数頁間に亘る場合にその頁番号を知ることができる情報である。なお、網点情報Ｄｍが情報に相当する。
【００３６】
また、筆圧データＤａ、時刻データＤｂ、書込位置データＤｃ及び網点情報Ｄｍは、１回の書込み作業で得られるデータが１つのデータ単位として扱われる。即ち、プロセッサ１０は、筆圧センサ８によって筆圧が検出されている期間、カメラ７から出力される画像信号を取得して各種データを取り込むため、この期間内に取得するデータを１つのデータ単位として取り扱う。
【００３７】
一方、図３に示すように、ファイル１８は、文字データや画像データが各頁（１頁目データ、２頁目データ、…）ごとに区切られたデータ構造をとっている。各頁のデータ内には、そのデータが何頁目のデータであるかを示すページ情報Ｄｐが含まれている。従って、例えば１頁目データ内のページ情報Ｄｐはそれに付随するデータが１頁目であることを示す情報となり、２頁目データ内のページ情報Ｄｐはそれに付随するデータが２頁目であることを示す情報となる。
【００３８】
次に、本例の印刷システム１の作用を図５に従って説明する。
まず、コンピュータ３の入力装置１４を操作して表示装置１５に所定のファイル１８を開き、表示装置１５に印刷用のユーザインタフェース画面を開いて印刷実行操作が行われたとする。このとき、プリンタドライバ２６は印刷データＤprntを印刷装置４に出力するが、この印刷データＤprntに網点印刷用のデータを加えて印刷データＤprntを出力する。なお、ここでは複数枚分の印刷データＤprntが印刷装置４に出力されたとする。
【００３９】
印刷装置４はこの印刷データＤprntを基に印刷処理を行い、文字や画像の印刷処理に加えて、赤外線インクを用紙に吹き付けることによるデジタルペン２用の網点パターン印刷も同時に行う。よって、印刷装置４が印刷出力した印刷済み用紙５が、デジタルペン２用の専用紙となる。本例では、複数枚分の印刷データＤprntが印刷装置４に送られてくるため、複数枚の用紙に印刷処理が行われ、各印刷済み用紙５に印刷される網点パターンは各頁ごとに異なった配列パターンで印刷出力される。
【００４０】
続いて、この印刷済み用紙５にデジタルペン２で文字や図が書き込まれたとする。このとき、デジタルペン２内のプロセッサ１０は、カメラ７の画像信号を基に書込位置データＤｃを、筆圧センサ８から筆圧データＤａを、自身の時計機能から時刻データＤｂを各々取得し、これらをデジタル信号の手書き情報Ｘとしてメモリ１１に一時蓄積する。無線通信機１２は受信回路１６の受信エリアに入ると、所定の時間間隔で、メモリ１１内に蓄積した手書き情報Ｘをコンピュータ３に転送する。コンピュータ３は、デジタルペン２から転送される手書き情報Ｘを受信回路１６で受信し、演算制御装置１３を経由して手書き情報データベース２０に逐次格納する。
【００４１】
手書き情報データベース２０に取り込んだ手書き情報Ｘを元のファイル１８に反映する場合、ユーザは入力装置１４を操作して、反映機能用のアプリケーションをコンピュータ３に立ち上げる。このとき、データ解析部２１は手書き情報データベース２０に格納した手書き情報Ｘを、１つのファイル単位のデータとしてデータ並びを配列し直し、手書き情報Ｘを紙面上に割り振った図５に示す手書き用ファイル（イメージ情報）４２を生成する。データ生成後、データ解析部２１は図６に示すようなファイル選択画面４３を表示装置１５に表示する。ユーザはこのファイル選択画面４３を見ながら、元のファイル１８と、そのファイル１８に反映させる手書き用ファイル４２とを選択する。
【００４２】
ファイル選択後、ファイル選択画面４３上の実行ボタン４３ａをユーザが選択操作すると、ＰＤＦ変換部２２は選択した元のファイル１８と手書き用ファイル４２とをＰＤＦデータに変換する。この際、手書き情報Ｘ内の網点情報Ｄｍが、書込み頁番号を示すページ情報Ｄｐとして読み取り可能なデータ（図３参照）に変換された状態となる。
【００４３】
続いて、レイヤー処理部２４はＰＤＦ変換した元のファイル１８及び手書き用ファイル４２の各データをレイヤー（重ね合わせ）することによって、図５に示す合成ファイル２３を生成する。このとき、レイヤー処理部２４は、頁番号を対応させて２つのデータ重ね合わせる。従って、同図に示すように元のファイル１８の手書き用ファイル４２が重畳された合成ファイル２３が生成される。そして、ユーザがコンピュータ３で合成ファイル保存操作を行うと、レイヤー処理部２４はこの合成ファイル２３をコンピュータ３内の合成ファイルデータベース２５に保存する。
【００４４】
従って、本例によれば、印刷装置４で印刷データＤprntを印刷出力する際、この用紙に文字や画像を印刷することに加え、網点パターンも印刷する構成としている。従って、印刷装置４が印刷出力する印刷済み用紙５をデジタルペン２用の専用紙として使用することが可能となり、この印刷済み用紙５に手書きで書き込んだ書込内容を、コンピュータ３内の元のファイル１８に反映することが可能となる。
【００４５】
第１実施形態の構成によれば、以下に記載の効果を得ることができる。
（１）コンピュータ３が送信した印刷データＤprntを印刷装置４が印刷出力する際、用紙には文字や画像等に加えて、デジタルペン２用の網点パターンが印刷される。従って、印刷装置４が印刷出力した印刷済み用紙５にデジタルペン２でメモ等の書き込みを行った場合でも、その手書き情報Ｘをデジタルペン２で取得することによって、コンピュータ３内の元のファイル１８に反映することができる。
【００４６】
（２）デジタルペン２とコンピュータ３との通信形式が無線であるので、例えばこれら両者が有線で接続された場合に比べ、デジタルペン２とコンピュータ３とを繋ぐケーブル等が不要となり、デジタルペン２ひいては印刷システム１の使い勝手がよくなる。
【００４７】
（３）印刷装置４が複数枚の用紙を印刷出力する際には、これら各頁ごとに網点パターンの配列が異なって印刷される。従って、印刷装置４が印刷出力する用紙が複数枚に亘ったとしても、各頁についてデジタルペン２で書込内容を取得することができる。
【００４８】
（４）印刷データＤprntの元のファイル１８と、手書き用ファイル４２との各データをＰＤＦ形式に変換し、ＰＤＦ変換後の両データを重ね合わせることで、デジタルペン２で印刷済み用紙５に書き込んだ手書き情報Ｘを元のファイル１８に反映する構成としている。従って、例えば元のファイル１８と手書き情報Ｘとが各々重ね合わせ不可能なデータ形式であっても、両データをＰＤＦ形式に落とし込むので、これらデータを重ね合わせる手法で手書き情報Ｘを元のファイル１８に反映させることができる。
【００４９】
（５）網点パターンの印刷に赤外線インクを用いるので、印刷済み用紙５上には網点パターンが人間の目には見えない状態になる。従って、文字や画像が印刷された印刷済み用紙５に網点パターンを印刷するようにしても、印刷文字や印刷画像が網点パターンによって見え難くなることがない。
【００５０】
（６）印刷用紙に網点パターンを持たせる場合、例えば専用紙を用いてそれに印刷処理を施すと、専用紙の上に文字等を印刷することになり、印刷で網点パターンが潰れてしまう。しかし、本例の手法を用いれば、印刷文字等の上に網点パターンを印刷することが可能であるため、網点パターンを潰すことなく印刷処理を行うことができる。
【００５１】
（第２実施形態）
次に、本発明を具体化した第２の実施形態を図７〜図１０に従って説明する。なお、本例は、複数部印刷出力した各印刷済み用紙５に１本のデジタルペン２で手書き書込みを行った際に、各用紙５に対する書込みユーザを認識する点が第１実施形態と異なっている。従って、本例は第１実施形態と異なる部分のみ説明することとし、同一部分に関しては同一符号を付して詳しい説明を省略する。
【００５２】
複数部印刷を行う場合、例えばユーザはコンピュータ３の表示装置１５にユーザフェース画面を立ち上げて、所望する印刷部数を入力して印刷開始操作を行う。この操作後、プリンタドライバ２６は複数部印刷のための印刷データＤprntを印刷装置４に出力し、印刷装置４に複数部印刷を実行させる。この際も、用紙には各頁ごとに異なる配列パターンで網点パターンが印刷されるため、用紙の網点パターン配列は各部間で異なった状態となる。
【００５３】
このとき、プリンタドライバ２６は、複数部印刷の部数番号と、その部数番号の印刷時に打ち出した網点パターンの絶対座標アドレス（絶対位置）とを関連付けた図７に示す情報（以下、関連情報と記す）４５を、コンピュータ３内のメモリ（図示略）に格納する。この関連情報４５は、紙面上の網点パターンから求まる絶対座標アドレス（絶対位置）のどこからどこまでが、何部数目の印刷用紙に印刷されているかを示す情報に相当する。
【００５４】
プリンタドライバ２６は、複数部印刷処理時において、図８に示すように各部の１枚目に書込者指定用の複数のチェックボックス４６を用紙に印刷させる。本例においては、用紙の上部位置に四角状のＩＤ１〜ＩＤ５の５つのチェックボックス４６ａ〜４６ｅが横並びに印刷されている。なお、チェックボックス４６の形状、印刷位置、印刷個数は自由に変更可能である。また、チェックボックス４６（４６ａ〜４６ｅ）が個人識別用パターンに相当する。
【００５５】
続いて、チェックボックス４６ａ〜４６ｅを有するこの印刷済み用紙５にデジタルペン２で文字や図が書き込まれる場合を考える。図８に示すように、例えばＩＤ１の書込者が印刷済み用紙５に手書き書込みを行う場合、書込者はＩＤ１のチェックボックス４６ａにチェック４７を付す。よって、例えば１部目の印刷済み用紙５に書かれたＩＤ１のチェックボックス４６にチェック４７が付された際には、１部目の印刷済み用紙５はＩＤ１の書込者によって文字や図が手書きで書き加えられることになる。
【００５６】
印刷済み用紙５にデジタルペン２で書込みが行われると、デジタルペン２内のプロセッサ１０は手書き情報Ｘをメモリ１１に一時蓄積する。このとき、プロセッサ１０はチェックボックス４６に付されるチェック４７の書込位置データを、ＩＤデータＤid（図３参照）として取得した状態となる。即ち、図８に示す例のようにＩＤ１のチェックボックス４６ａにチェック４７が付された場合、そのチェック４７の書込位置データＤｃが、手書き作業の施された用紙がＩＤ１である旨を示すＩＤデータＤidとなる。無線通信機１２は受信回路１６の受信エリアに入ると、所定の時間間隔で、メモリ１１内に一時蓄積した手書き情報Ｘ（ＩＤデータＤidを含む）をコンピュータ３に転送する。コンピュータ３は、デジタルペン２から転送される手書き情報Ｘを受信回路１６で受信し、演算制御装置１３を経由して手書き情報データベース２０に逐次格納する。
【００５７】
手書き情報データベース２０に取り込んだ手書き情報Ｘを元のファイル１８に反映する場合、ユーザは入力装置１４を操作して、反映機能用のアプリケーションをコンピュータ３に立ち上げる。このとき、データ解析部２１は各々のＩＤごとに手書き用ファイル４２（図５参照）を作成すべく、手書き情報データベース２０に格納した手書き情報Ｘのデータ並びを配列し直し、関連するデータ同士を組み合わせる処理を行う。
【００５８】
この処理として、データ解析部２１は、まず手書き情報データベース２０内の手書き情報Ｘのデータ（即ち、ＩＤデータＤid）と、元のファイル１８のデータとを比較することで、どのチェック４７がどこのチェックボックス４６ａ〜４６ｅに付されているかを判別する。これにより、データ解析部２１は、どのチェック４７が何処の絶対座標アドレスに対応しているかを判別することが可能である。ここで、チェック４７の絶対座標アドレスが分れば、図７に示す関連情報４５を参照することで、チェック４７が付された印刷済み用紙５が何部数目の用紙であるかが判断可能である。従って、データ解析部２１は、このチェック判別によってチェック位置の絶対座標アドレスを判別し、図７に示す関連情報４５を参照することによって、ＩＤ（書込者）と部数番号との対応付けが可能である。
【００５９】
そして、データ解析部２１は、手書き情報データベース２０内の各手書き情報Ｘがどの部数番号のものかを、関連情報４５を参照することで判別する。データ解析部２１は手書き情報Ｘの部数番号が分れば、その手書き情報Ｘを対応する部数番号のファイルに書き加え、それを１つのファイルとして生成する。データ生成後、データ解析部２１は図９に示すようなファイル選択画面４８を表示装置１５に表示する。なお、図９に示すファイル選択画面４８では、手書き用ファイル４２は各部数番号に応じて存在する。ユーザはこのファイル選択画面４８を見ながら、元のファイル１８と、そのファイル１８に反映させる手書き用ファイル４２とを選択する。
【００６０】
ファイル選択後、ファイル選択画面４８上の実行ボタン４８ａをユーザが選択操作すると、ＰＤＦ変換部２２は選択した元のファイル１８と手書き用ファイル４２とをＰＤＦデータに変換する。レイヤー処理部２４はＰＤＦ変換した元のファイル１８及び手書き用ファイル４２の各データをレイヤー（重ね合わせ）することによって、図５に示す合成ファイル２３を生成する。
【００６１】
また、コンピュータ３は、手書き情報Ｘを元のファイル１８に重ねて表示する際の表示条件をユーザごとに格納したユーザデータベース４９を備えている。ユーザデータベース４９には、各ユーザ（ＩＤ１〜ＩＤ５）ごとに、表示フォント、表示スタイル及び表示色等が設定されている。ユーザデータベース４９の各種データは、自由に設定変更することが可能である。また、表示色についてはカラーピッカーを立ち上げて、その中から表示色を選択する形式でもよい。
【００６２】
従って、コンピュータ３が合成ファイル２３を表示装置１５に表示する際、コンピュータ３はユーザデータベース４９を参照して、各ユーザに対応した表示条件で合成ファイル２３を表示装置１５に表示する。例えば、ＩＤ１のユーザの合成ファイル２３を表示装置１５に表示する際には、表示フォントが「ゴシック」、表示スタイルが「標準」、表示色が「黒」の表示条件で合成ファイル２３が表示装置１５に表示される。
【００６３】
従って、第２実施形態によれば、第１実施形態に記載の（１）〜（５）の効果に加えて以下の効果を得ることができる。
（７）印刷装置４が同じ印刷物を複数部印刷出力し、各々異なる書込者が同じデジタルペン２を使って各部の印刷済み用紙５にそれぞれ書き込みを行った場合でも、コンピュータ３がデジタルペン２から手書き情報Ｘを取り込んだ際に、部数番号と書込者を対応付けることができる。従って、どの部数番号の印刷物にどの書込者がデジタルペン２で書き込みを行ったかを判別することができる。
【００６４】
（８）コンピュータ３の表示装置１５に合成ファイル２３を表示する際、ユーザデータベース４９に格納された表示条件を参照し、各ユーザに対応する表示条件（表示フォント、表示スタイル、表示色）で手書き情報Ｘを表示する。従って、コンピュータ３の表示装置１５に合成ファイル２３を表示する際に、各ユーザごとに手書き情報Ｘの表示態様を変えて表示することができる。
【００６５】
なお、実施形態は上記構成に限らず、以下の態様に変更してもよい。
（変形例１）第１及び第２実施形態において、網点パターンを印刷するための網点用印刷データは、印刷文字や印刷画像等のデータに付随してコンピュータ３から印刷装置４に送られる構成に限定されない。即ち、コンピュータ３が印刷文字や印刷画像等のデータのみを出力し、印刷装置４側でこれらデータに網点用印刷データを付け加えて、用紙に文字、画像、網点パターンを印刷する構成としてもよい。
【００６６】
（変形例２）第１及び第２実施形態において、網点パターンは赤外線インクによって印刷されることに限らず、例えば黒インク等の有色インクで印刷されてもよい。この場合、カメラ７は赤外線カメラである必要はない。
【００６７】
（変形例３）第１及び第２実施形態において、コンピュータ３は例えばパーソナルコンピュータ等が使用されるが、これ以外に例えばＰＤＡ（Personal Digital Assistance ）、携帯電話等の他の通信端末を使用してもよい。
【００６８】
（変形例４）第１及び第２実施形態において、デジタルペン２が書込位置データＤｃをコンピュータ３に送信し、コンピュータ３が書込位置データＤｃを基に手書き情報Ｘのイメージデータを生成する構成に限定されない。例えば、デジタルペン２のプロセッサ１０が書込位置データＤｃを基に手書き情報Ｘのイメージデータを生成し、それをコンピュータ３に送信する構成でもよい。
【００６９】
（変形例５）第２実施形態において、ユーザ特定は、印刷済み用紙５にチェックボックス４６を印刷して、このチェックボックス４６に付されたチェック４７をデジタルペン２で取得して行う形式に限定されない。例えば、デジタルペン２はペン固有の識別情報（デジタルペン機器番号）を有しているため、このデジタルペン機器番号を読み出して、これをコンピュータ３に送信することで、コンピュータ３側で書込者の特定を行ってもよい。この場合、印刷済み用紙５に印刷されたチェックボックス４６にチェック４７を付するという作業が不要となり、使い勝手がよくなる。また、用紙にチェックボックス４６を印刷する必要がなくなり、印刷文字や印刷画像に関係のないものを用紙に印刷せずに済む。
【００７０】
（変形例６）第１及び第２実施形態において、印刷装置４は、コンピュータ３から送信される印刷データＤprntのみを印刷可能な機種に限らず、例えばスキャナ機能、ローカルコピー機能及びプリント機能を１台に備えた複合機でもよい。また、印刷装置４は、メディア（メモリーカード等）から画像データを取得してそれを印刷出力可能なスタンドアロン型でもよい。
【００７１】
（変形例７）パターンは必ずしも網点パターンであることに限定されず、手書き文字の位置が把握できるのであれば、パターンの模様は特に限定されない。
次に、上記実施形態及び別例から把握できる技術的思想について以下に追記する。
【００７２】
（１）網点パターンを有する専用紙に書き込んだ書込内容を、その書込位置を関連付けた手書き情報として取得し、前記手書き情報を外部に送信可能なデジタルぺンを用い、前記手書き情報をコンピュータに取り込む際に使用手書き情報反映プログラムにおいて、前記デジタルペンが送信した前記手書き情報を前記コンピュータが受信するステップと、受信した前記手書き情報内の筆記情報を基に、前記コンピュータが前記書込内容とその書込位置を認識するステップと、前記認識の結果を基に、前記専用紙に印刷処理された印刷データのファイルに前記コンピュータが前記書込内容を反映させるステップと、前記反映前の前記印刷データを印刷装置が用紙に印刷出力する際、前記網点パターンも書き加えて前記用紙を前記専用紙として印刷装置から印刷出力させるステップとをコンピュータに実行させることを特徴とする書込み情報反映プログラム。
【００７３】
（２）請求項１〜５のいずれかにおいて、前記デジタルペンは、ペン自身が持つ固有のＩＤ情報を前記デジタル情報に含ませて送信し、前記コンピュータは、前記筆跡を前記ファイルに反映させる際、前記ＩＤ情報に基づき前記デジタルペンのＩＤも対応付ける。
【図面の簡単な説明】
【００７４】
【図１】第１実施形態における印刷システムの概略構成を示す構成図。
【図２】デジタルペンの構成を示す斜視図。
【図３】手書き情報のデータ構造を示すイメージ図。
【図４】ファイルのデータ構造を示すイメージ図。
【図５】合成ファイルを生成する際の手順を示す説明図。
【図６】ファイル選択画面を示す画面図。
【図７】第２実施形態における関連情報のデータ構造を示すイメージ図。
【図８】チェックボックスが印刷された印刷済み用紙の平面図。
【図９】ファイル選択画面を示す画面図。
【図１０】ユーザデータベースに格納された表示条件を示す構成図。
【符号の説明】
【００７５】
１…印刷システム、２…デジタルペン、３…コンピュータ、４…印刷出力手段を構成する印刷装置、５…専用紙としての印刷済み用紙、１３…頁対応手段及び書込み者対応手段を構成する演算制御装置、１８…ファイル、２１…変換手段を構成するデータ解析部、２２…変換手段を構成するＰＤＦ変換部、２４…反映手段としてのレイヤー処理部、２６…印刷出力手段を構成するプリンタドライバ、４６…個人識別用パターンとしてのチェックボックス、Ｘ…手書き情報、Ｄｃ…筆記情報としての書込位置データ、Ｄprnt…印刷データ、Ｄｍ…情報としての網点情報。
【図１】
2006268758.tif 000003
【図２】
2006268758.tif 000004
【図３】
2006268758.tif 000005
【図４】
2006268758.tif 000006
【図５】
2006268758.tif 000007
【図６】
2006268758.tif 000008
【図７】
2006268758.tif 000009
【図８】
2006268758.tif 000010
【図９】
2006268758.tif 000011
【図１０】
2006268758.tif 000012